(57)【要約】【課題】下沓と摺動子との間に異物が噛み込むのを抑制することができる滑り支承を提供する。【解決手段】滑り支承１０は、上面にＶ形凹状の下摺接面１１ｂ１を有する下沓１１と、下面にΛ形凹状の上摺接面１２ｂ１を有する上沓１２と、下摺接面１１ｂ１に対して一方向に摺動可能な下摺動面１４ａ、及び上摺接面１２ｂ１に対して一方向と直交する他方向に摺動可能な上摺動面１５ａを有する摺動子１３と、摺動子１３に設けられたダストカバー３０と、を備えている。ダストカバー３０は、下摺動面１４ａが下摺接面１１ｂ１の前記一方向の中央部に位置している状態で、下摺接面１１ｂ１における露出部分１１ｂ２を覆っている。【選択図】図７
2020076441.tif 000002
【特許請求の範囲】
【請求項１】
上面にＶ形凹状の下摺接面を有し、構造物の下部構造体の上部に固定される下沓と、
下面にΛ形凹状の上摺接面を有し、構造物の上部構造体の底部に固定される上沓と、
前記下摺接面に対して一方向に摺動可能な下摺動面、及び前記上摺接面に対して前記一方向と直交する他方向に摺動可能な上摺動面を有する摺動子と、
前記摺動子に設けられ、前記下摺動面が前記下摺接面の前記一方向の中央部に位置している状態で、前記下摺接面における露出部分の少なくとも一部を覆うダストカバーと、を備える滑り支承。
【請求項２】
前記ダストカバーは、可撓性を有するカバー本体と、当該カバー本体を補強する補強体と、を備える、請求項１に記載の滑り支承。
【請求項３】
前記ダストカバーは、前記下摺接面の前記少なくとも一部に面接触する接触面を有する、請求項１又は２に記載の滑り支承。
【請求項４】
前記ダストカバーは、前記下摺接面における露出部分の全体を、その周りに余裕寸法をもって覆う、請求項１〜３のいずれか１項に記載の滑り支承。
【請求項５】
前記ダストカバーの前記余裕寸法の部分から前記露出部分よりも下方に垂れるスカート部材をさらに備える請求項４に記載の滑り支承。
【請求項６】
前記ダストカバーは、前記一方向の一端部が前記摺動子に固定された固定部と、前記固定部の前記一方向の他端部に対して上下回動可能に連結された回動部と、を備える、請求項１〜５のいずれか１項に記載の滑り支承。
【請求項７】
前記回動部は、下回動位置と上回動位置との間で回動可能であり、
前記回動部の前記下回動位置と前記上回動位置との間の回動角度は、前記回動部が前記上回動位置から自重により下方回動可能な角度に設定されている、請求項６に記載の滑り支承。
【発明の詳細な説明】
【技術分野】
【０００１】
本発明は、滑り支承に関する。
【背景技術】
【０００２】
風、熱伸び、地震等による振動時に発生するエネルギーが、ビルや戸建住宅等の構造物に伝達するのを低減させる免震機構として、当該構造物の上部構造体と下部構造体との間に配設され、振動時に下部構造体に対して上部構造体を水平方向に滑らせて支持する滑り支承が知られている。
このような滑り支承は、一般に、構造物の下部構造体の上部に固定される下沓と、構造物の上部構造体の底部に固定される上沓と、下沓と上沓との間に介在する摺動子とを備えている（例えば、特許文献１参照）。
【０００３】
特許文献１に記載されている滑り支承は、上面にＶ形凹状の下摺接面を有する下沓と、下面にΛ形凹状の上摺接面を有する上沓と、下摺接面と上摺接面との間に介在する摺動子とを備えている。摺動子は、下摺接面に沿ってＸ−Ｘ方向に摺動可能なＶ形凸状の下摺動面と、上摺接面に沿ってＸ−Ｘ方向と直交するＹ−Ｙ方向に摺動可能なΛ形凸状の上摺動面とを有している。
【０００４】
摺動子は、通常時には下沓の下摺接面の長手方向中央部および上沓の上摺接面の長手方向中央部に位置している。そして、地震等による振動時には、その振動に追随するように摺動子が下摺接面に沿ってＸ−Ｘ方向に摺動するとともに、上摺接面に沿ってＹ−Ｙ方向に摺動する。
【先行技術文献】
【特許文献】
【０００５】
【特許文献１】特開２０１３−１３０２１６号公報
【発明の概要】
【発明が解決しようとする課題】
【０００６】
通常時の状態において、下沓の下摺接面には、長手方向中央部に摺動子が位置しているため、この長手方向中央部以外の摺動子が位置していない露出部分に粉塵等の異物が付着する場合がある。この場合、地震等による振動時に摺動子が下沓に対して摺動するときに、摺動子の下摺動面と下沓の下摺接面との間に異物が噛み込むことで、下摺動面および下摺接面が損傷するおそれがある。このような損傷が発生すると、摺動子を振動に対して十分に追随させることができず、免震機能が低下してしまう。
【０００７】
本発明はこのような事情に鑑みてなされたものであり、下沓と摺動子との間に異物が噛み込むのを抑制することができる滑り支承を提供することを目的とする。
【課題を解決するための手段】
【０００８】
本発明の滑り支承は、上面にＶ形凹状の下摺接面を有し、構造物の下部構造体の上部に固定される下沓と、下面にΛ形凹状の上摺接面を有し、構造物の上部構造体の底部に固定される上沓と、前記下摺接面に対して一方向に摺動可能な下摺動面、及び前記上摺接面に対して前記一方向と直交する他方向に摺動可能な上摺動面を有する摺動子と、前記摺動子に設けられ、前記下摺動面が前記下摺接面の前記一方向の中央部に位置している状態で、前記下摺接面における露出部分の少なくとも一部を覆うダストカバーと、を備える。
【０００９】
本発明によれば、摺動子の下摺動面が下沓の下摺接面における前記一方向の中央部に位置している状態で、摺動子に設けられたダストカバーは、下沓の下摺接面における露出部分の少なくとも一部を覆うため、当該露出部分に粉塵等の異物が付着するのを抑制することができる。これにより、下沓に対して摺動子が摺動するときに、下沓と摺動子との間に異物が噛み込むのを抑制することができる。その結果、下沓の下摺接面および摺動子の下摺動面が損傷し難くなるので、免震機能の低下を抑制することができる。
【００１０】
前記ダストカバーは、可撓性を有するカバー本体と、当該カバー本体を補強する補強体と、を備えるのが好ましい。
この場合、可撓性を有するカバー本体は補強体によって補強されるので、摺動子が下摺接面に対して摺動することによってカバー本体が下沓からはみ出しても、そのはみ出し部分が下方に垂れることはない。これにより、カバー本体の前記はみ出し部分に地面上の粉塵等の異物が付着するのを防止できるので、当該異物がカバー本体を介して下摺接面の露出部分に付着するのを防止することができる。
【００１１】
前記ダストカバーは、前記下摺接面の前記少なくとも一部に面接触する接触面を有するのが好ましい。
この場合、ダストカバーの接触面によって、下沓の下摺接面の露出部分に粉塵等の異物が付着するのを効果的に抑制することができる。
【００１２】
前記ダストカバーは、前記下摺接面における露出部分の全体を、その周りに余裕寸法をもって覆うのが好ましい。
この場合、ダストカバーにより下沓の下摺接面における露出部分の全体を確実に覆うことができるため、当該露出部分に粉塵等の異物が付着するのをさらに効果的に抑制することができる。
【００１３】
前記滑り支承は、前記ダストカバーの前記余裕寸法の部分から前記露出部分よりも下方に垂れるスカート部材をさらに備えるのが好ましい。
この場合、スカート部材が、ダストカバーと下摺接面の露出部分との間の周りを覆うので、ダストカバーと下摺接面の露出部分との間に粉塵等の異物が浸入するのを抑制することができる。
【００１４】
前記ダストカバーは、前記一方向の一端部が前記摺動子に固定された固定部と、前記固定部の前記一方向の他端部に対して上下回動可能に連結された回動部と、を備えるのが好ましい。
この場合、例えば、摺動子が下摺接面に対して摺動することで、ダストカバーの回動部が構造物等の壁面に接触しても、前記回動部が固定部に対して上方回動することによって、前記回動部と前記壁面との接触による衝撃を緩和することができる。これにより、ダストカバーが壁面等の外部に接触して損傷するのを抑制することができる。
【００１５】
前記回動部は、下回動位置と上回動位置との間で回動可能であり、前記回動部の前記下回動位置と前記上回動位置との間の回動角度は、前記回動部が前記上回動位置から自重により下方回動可能な角度に設定されているのが好ましい。
この場合、例えば、ダストカバーの回動部が構造物等の壁面に接触して下回動位置から上回動位置まで上方回動した後、摺動子が前記壁面から離反する方向へ摺動すると、前記回動部は前記壁面との接触が解除されることで、上回動位置から自重により下方回動する。従って、回動部が下回動位置から上方回動しても、摺動子の摺動により回動部を自動的に下方回動させて下回動位置に戻すことができる。
【発明の効果】
【００１６】
本発明によれば、下沓と摺動子との間に異物が噛み込むのを抑制することができる。
【図面の簡単な説明】
【００１７】
【図１】本発明の第１実施形態に係る滑り支承を示す平面図である。
【図２】図１のＡ−Ａ矢視断面図である。
【図３】図１のＢ−Ｂ矢視断面図である。
【図４】摺動子を下方から見た斜視図である。
【図５】摺動子を上方から見た斜視図である。
【図６】摺動子に一対のダストカバーが固定された状態を示す滑り支承の平面図である。
【図７】図６のＣ−Ｃ矢視図である。
【図８】カバー本体のみで構成されたダストカバーが摺動子と共に摺動した状態を示す側面図である。
【図９】第１実施形態のダストカバーが摺動子と共に摺動した状態を示す側面図である。
【図１０】本発明の第２実施形態に係る滑り支承を示す側面図である。
【図１１】図１０のＤ−Ｄ矢視端面図である。
【図１２】第２実施形態のダストカバーが摺動子と共に摺動した状態を示す側面図である。
【図１３】本発明の第３実施形態に係る滑り支承を示す側面図である。
【図１４】第３実施形態のダストカバーが摺動子と共に摺動した状態を示す側面図である。
【発明を実施するための形態】
【００１８】
次に、本発明の好ましい実施形態について添付図面を参照しながら説明する。なお、以下に記載する実施形態の少なくとも一部を任意に組み合わせてもよい。
［第１実施形態］
［滑り支承の全体構成］
図１は、本発明の第１実施形態に係る滑り支承を示す平面図である。図２は図１のＡ−Ａ矢視断面図である。図１及び図２において、滑り支承１０は、例えばビルや戸建住宅等の構造物の下部構造体１と上部構造体２との間に介在し、風、熱伸び、地震等による振動時に、その振動に追随させるように上部構造体２を下部構造体１に対して水平方向に滑らせて支持するものである。
【００１９】
本実施形態の滑り支承１０は、下部構造体１の上面に下ベースプレート３を介して固定される下沓１１と、上部構造体２の底面に上ベースプレート４を介して固定される上沓１２と、下沓１１と上沓１２との間に介在する摺動子１３と、摺動子１３に固定される一対のダストカバー３０（図６参照）とを備えている。なお、図１及び図２では、ダストカバー３０の図示を省略している（図３〜図５も同様）。
【００２０】
［下沓］
下沓１１は、例えば概ね直方体状に形成されたブロック体からなる下沓本体１１ａと、その下沓本体１１ａの上面に固定された下スライドプレート１１ｂと、下沓本体１１ａの両側面にそれぞれ固定された一対の下サイドスライドプレート１１ｃと、下沓本体１１ａの長手方向の両端面にそれぞれ固定された一対のストッパ１１ｄとによって構成されている。下沓１１は、その長手方向が一方向（図中のＸ−Ｘ方向）に向いて配置されている。下沓本体１１ａの上面は、側面視において緩やかなＶ形凹状に形成されている。
【００２１】
下スライドプレート１１ｂ及び下サイドスライドプレート１１ｃは、例えばステンレス板、表面処理を施したステンレス板、または硬質クロムメッキされた薄板等からなる。下スライドプレート１１ｂは、側面視において下沓本体１１ａの上面の形状に沿って形成されている。下スライドプレート１１ｂの上面は、摺動子１３の第１下滑り軸受１４（後述）が摺動するＶ形凹状の下摺接面１１ｂ１とされている。下摺接面１１ｂ１は、水平面に対して所定の傾斜角θで傾斜している。
下サイドスライドプレート１１ｃは、側面視において下沓本体１１ａの上面の形状に対応して緩やかなＶ形に形成されている。下サイドスライドプレート１１ｃの外側面は、摺動子１３の第２下滑り軸受１８（後述）が摺動する下案内摺接面１１ｃ１とされている。
【００２２】
ストッパ１１ｄは、下沓本体１１ａの幅方向（Ｙ−Ｙ方向）に延びて形成されており、ストッパ１１ｄの幅方向の両端部は、下サイドスライドプレート１１ｃよりも幅方向外側に突出している。これにより、摺動子１３がＸ−Ｘ方向の両端部までそれぞれ摺動したときに、摺動子１３の一対の下突出部１７（後述）がストッパ１１ｄの幅方向両端部に当接することで、摺動子１３が下沓本体１１ａのＸ−Ｘ方向の両端部から脱落するのを防止している。
【００２３】
［上沓］
図３は図１のＢ−Ｂ矢視断面図である。図１及び図３に示すように、上沓１２は、例えば概ね直方体状に形成されたブロック体からなる上沓本体１２ａと、その上沓本体１２ａの下面に固定された上スライドプレート１２ｂと、上沓本体１２ａの両側面にそれぞれ固定された一対の上サイドスライドプレート１２ｃとによって構成されている。上沓１２は、その長手方向を下沓１１の長手方向と水平に直交するＹ−Ｙ方向に向けて配置されている。上沓本体１２ａの下面は、側面視において緩やかなΛ形凹状に形成されている。
【００２４】
上スライドプレート１２ｂ及び上サイドスライドプレート１２ｃは、例えばステンレス板、表面処理を施したステンレス板、または硬質クロムメッキされた薄板等からなる。上スライドプレート１２ｂは、側面視において上沓本体１２ａの下面の形状に沿って形成されている。上スライドプレート１２ｂの下面は、摺動子１３の第１上滑り軸受１５（後述）が摺動するΛ形凹状の上摺接面１２ｂ１とされている。上摺接面１２ｂ１は、水平面に対して所定の傾斜角θ（下摺接面１１ｂ１の水平面に対する傾斜角と同一角度）で傾斜している。
上サイドスライドプレート１２ｃは、側面視において上沓本体１２ａの下面の形状に対応して緩やかなΛ形に形成されている。上サイドスライドプレート１２ｃの外側面は、摺動子１３の第２上滑り軸受２３（後述）が摺動する上案内摺接面１２ｃ１とされている。
【００２５】
［摺動子］
図４は、摺動子１３を下方から見た斜視図である。図３及び図４において、摺動子１３は、例えば概ね正方体状に形成されたブロック体からなる摺動子本体１３ａを有している。この摺動子本体１３ａの下面は、下沓１１の下摺接面１１ｂ１に対応して、緩やかなＶ形凸状に形成されている。具体的には、摺動子本体１３ａの下面は、Ｘ−Ｘ方向の両端部から中央部に向かうにしたがって徐々に下方に突出するように形成された一対の下傾斜面１３ａ１により構成されている。
【００２６】
摺動子１３は、摺動子本体１３ａの各下傾斜面１３ａ１に固定された一対の第１下滑り軸受１４を有している。各第１下滑り軸受１４は、例えばＰＴＦＥ（ポリテトラフルオロエチレン）系、ＰＡ（ポリアミド）系、またはＰＯＭ（ポリアセタール）系等の樹脂により形成されており、その下面は、下沓１１の下摺接面１１ｂ１に対してＸ−Ｘ方向に摺動可能な下摺動面１４ａとされている。
【００２７】
図５は、摺動子１３を上方から見た斜視図である。図２及び図５に示すように、摺動子本体１３ａの上面は、上沓１２の上摺接面１２ｂ１に対応して、緩やかなΛ形凸状に形成されている。具体的には、摺動子本体１３ａの上面は、Ｙ−Ｙ方向の両端部から中央部に向かうにしたがって徐々に上方に突出するように形成された一対の上傾斜面１３ａ２により構成されている。
【００２８】
摺動子１３は、摺動子本体１３ａの各上傾斜面１３ａ２に固定された一対の第１上滑り軸受１５を有している。各第１上滑り軸受１５は、例えばＰＴＦＥ系、ＰＡ系、またはＰＯＭ（ポリアセタール）系等の樹脂により形成されており、その上面は、上沓１２の上摺接面１２ｂ１に対してＹ−Ｙ方向に摺動可能な上摺動面１５ａとされている。
【００２９】
図４に示すように、摺動子１３には、摺動子本体１３ａの下傾斜面１３ａ１の両側方に一対の下ガイド部１６が設けられている。各下ガイド部１６は、下傾斜面１３ａ１よりも下方に突出するように摺動子本体１３ａに一体に形成された下突出部１７と、この下突出部１７の内側面のＸ−Ｘ方向両端部に固定された一対の第２下滑り軸受１８とによって構成されている。第２下滑り軸受１８は、下沓１１の側面である下案内摺接面１１ｃ１に対して摺動可能な下案内滑り面１８ａを有している。
【００３０】
図５に示すように、摺動子１３には、摺動子本体１３ａの上傾斜面１３ａ２の両側方に一対の上ガイド部２１が設けられている。各上ガイド部２１は、上傾斜面１３ａ２よりも上方に突出するように摺動子本体１３ａに一体に形成された上突出部２２と、この上突出部２２の内側面のＹ−Ｙ方向両端部に固定された一対の第２上滑り軸受２３とによって構成されている。第２上滑り軸受２３は、上沓１２の側面である上案内摺接面１２ｃ１に対して摺動可能は上案内滑り面２３ａを有している。
【００３１】
これにより、摺動子１３は、下沓１１に対しては一対の下ガイド部１６によりＸ−Ｘ方向にのみ摺動可能に保持され、上沓１２に対しては一対の上ガイド部２１によりＹ−Ｙ方向にのみ摺動可能に保持される。したがって、地震等による振動時に下部構造体１と上部構造体２との間で任意の水平方向に相対変位が生じた際には、摺動子１３は、下沓１１の下摺接面１１ｂ１に対してＸ−Ｘ方向に相対変位するとともに、上沓１２の上摺接面１２ｂ１に対してＹ−Ｙ方向に相対変位することで、下部構造体１と上部構造体２との間で生じる任意の水平方向（全方向）への相対変位に追随して変位させることができる。
【００３２】
摺動子１３は、通常時（非振動時）には図１に示す基準位置に位置している。この基準位置において、摺動子１３は、下沓１１の長手方向（Ｘ−Ｘ方向）中央部に位置し、かつ上沓１２の長手方向（Ｙ−Ｙ方向）中央部に位置している。
【００３３】
［ダストカバー］
図６は、摺動子１３に一対のダストカバー３０が設けられた状態を示す滑り支承１０の平面図である。図７は、図６のＣ−Ｃ矢視図である。なお、図６及び図７では、上沓１２の図示を省略している。図６及び図７において、一対のダストカバー３０は、摺動子１３が基準位置に位置している状態、つまり摺動子１３の下摺動面１４ａが下沓１１の下摺接面１１ｂ１におけるＸ−Ｘ方向の中央部に位置している状態で、下摺接面１１ｂ１の前記中央部を除く露出部分を覆うものである。本実施形態では、一対のダストカバー３０は、摺動子本体１３ａのＸ−Ｘ方向の両側面１３ａ３にそれぞれ取り付けられている。各ダストカバー３０は、基準位置の摺動子１３よりもＸ−Ｘ方向の両側でそれぞれ露出している下摺接面１１ｂ１の露出部分１１ｂ２を覆っている。
【００３４】
各ダストカバー３０は、可撓性を有するカバー本体３１と、当該カバー本体３１を補強する補強体３２とを備えている。なお、カバー本体３１は、図７ではクロスハッチングを付して示している（図８及び図９も同様）。
補強体３２は、例えばポリ塩化ビニル等の合成樹脂材からなる平板部材を略Ｌ字状に曲げ加工して形成されており、縦板部３３と横板部３４とを有している。
【００３５】
補強体３２の縦板部３３は、摺動子本体１３ａの側面１３ａ３の下端部に当接した状態で複数（図６では４個）のねじ４１によって固定されている。具体的には、摺動子本体１３ａの側面１３ａ３には、その幅方向に複数のねじ孔１３ａ４が形成されており（図３及び図４も参照）、これらのねじ孔１３ａ４に、縦板部３３を板厚方向に貫通した前記ねじ４１が座金４２を介して螺合されている。
【００３６】
補強体３２の横板部３４は、下沓１１の下摺接面１１ｂ１の上方に配置されている。横板部３４のＸ−Ｘ方向の長さは、下摺接面１１ｂ１の露出部分１１ｂ２における同方向の長さよりも余裕寸法Ｌだけ長く形成されている。また、横板部３４のＹ−Ｙ方向の幅は、摺動子本体１３ａの同方向の幅よりもやや狭く形成され、かつ、下摺接面１１ｂ１の同方向の幅よりも、余裕寸法Ｗ１及び余裕寸法Ｗ２だけ広く形成されている。
【００３７】
横板部３４の下面３４ａは、下摺接面１１ｂ１の露出部分１１ｂ２と平行になるように、水平面に対して傾斜している。すなわち、横板部３４の下面３４ａは、下摺接面１１ｂ１の水平面に対する傾斜角θと同一の傾斜角になるように、水平面に対して傾斜している。
【００３８】
カバー本体３１は、例えば可撓性及び柔軟性を有する平板状の繊維材（フェルト）からなり、カバー本体３１の上面は、補強体３２の横板部３４の下面３４ａに接着されている。これにより、カバー本体３１は、補強体３２によって撓まないように補強されている。また、カバー本体３１の下面３１ａは、接着層３５を介して横板部３４の下面３４ａと平行になるように水平面に対して傾斜している。したがって、カバー本体３１の下面３１ａは、横板部３４の下面３４ａと同様に、下摺接面１１ｂ１の水平面に対する傾斜角θと同一の傾斜角になるように、水平面に対して傾斜している。
【００３９】
カバー本体３１のＸ−Ｘ方向の長さ及びＹ−Ｙ方向の幅は、横板部３４と同一寸法に設定されている。また、カバー本体３１は、所定の厚みを有し、その下面３１ａが下摺接面１１ｂ１の露出部分１１ｂ２全体に面接触する接触面となる。これにより、カバー本体３１は、下摺接面１１ｂ１の露出部分１１ｂ２の全体に面接触した状態で当該露出部分１１ｂ２の全体を、その周りに余裕寸法Ｌ，Ｗ１，Ｗ２をもって覆っている。なお、カバー本体３１は、上記のように柔軟性を有するフェルトからなるため、カバー本体３１が摺動子１３と共に摺動しても、カバー本体３１によって下摺接面１１ｂ１の露出部分１１ｂ２が傷付くのを抑制することができる。
【００４０】
［作用効果］
以上、第１実施形態の滑り支承１０によれば、摺動子１３の下摺動面１４ａが下沓１１の下摺接面１１ｂ１におけるＸ−Ｘ方向の中央部に位置している状態で、摺動子１３に固定されたダストカバー３０は、下沓１１の下摺接面１１ｂ１における前記中央部を除く露出部分１１ｂ２を覆うため、当該露出部分１１ｂ２に粉塵等の異物が付着するのを抑制することができる。これにより、下沓１１に対して摺動子１３が摺動するときに、下沓１１と摺動子１３との間に異物が噛み込むのを抑制することができる。その結果、下沓１１の下摺接面１１ｂ１および摺動子１３の下摺動面１４ａが損傷し難くなるので、免震機能の低下を抑制することができる。
【００４１】
また、カバー本体３１の下面３１ａは、下摺接面１１ｂ１の露出部分１１ｂ２に面接触するため、下摺接面１１ｂ１の露出部分１１ｂ２に異物が付着するのを効果的に抑制することができる。
【００４２】
また、ダストカバー３０の可撓性を有するカバー本体３１は、補強体３２によって補強されるので、以下の作用効果を奏する。例えば、図８に示すように、ダストカバー３０が可撓性を有するカバー本体３１のみで構成されている場合、摺動子１３が下沓１１に対してＸ−Ｘ方向の一方側（図中の右側）に摺動して当該一方側のカバー本体３１が下沓１１からはみ出すと、そのはみ出し部分３１ｂが下方に垂れて地面に接触し、地面上の粉塵等の異物が前記はみ出し部分３１ｂに付着する場合がある。この場合、図８に示す状態から、摺動子１３が下沓１１に対してＸ−Ｘ方向の他方側（図中の左側）に摺動すると、前記はみ出し部分３１ｂに付着した異物が下摺接面１１ｂ１の露出部分１１ｂ２に付着してしまう。これに対して、本実施形態では、図９に示すように、摺動子１３が下沓１１に対してＸ−Ｘ方向の一方側に摺動して当該一方側のカバー本体３１が下沓１１からはみ出しても、そのはみ出し部分３１ｂは、補強体３２によって補強されているため、下方に垂れることはない。これにより、カバー本体３１の前記はみ出し部分３１ｂに地面上の粉塵等の異物が付着するのを防止できるので、当該異物が、カバー本体３１の前記はみ出し部分３１ｂを介して下摺接面１１ｂ１の露出部分１１ｂ２に付着するのを防止することができる。
【００４３】
また、カバー本体３１は、下摺接面１１ｂ１の露出部分１１ｂ２の全体を、その周りに余裕寸法Ｌ，Ｗ１，Ｗ２をもって覆っているので、カバー本体３１により前記露出部分１１ｂ２の全体を確実に覆うことができる。これにより、下摺接面１１ｂ１の露出部分１１ｂ２に異物が付着するのをさらに効果的に抑制することができる。
【００４４】
［第２実施形態］
図１０は、本発明の第２実施形態に係る滑り支承１０を示す側面図である。本実施形態の滑り支承１０は、ダストカバー３０にスカート部材５０が設けられている点で、第１実施形態と相違する。
図１０において、スカート部材５０は、ダストカバー３０の幅方向の両端部（余裕寸法Ｗ１，Ｗ２（図６参照）の部分）から下方に垂れる一対のサイドスカート５１と、ダストカバー３０の長手方向の外端部（余裕寸法Ｌ（図６参照）の部分）から下方に垂れるエンドスカート５２とによって構成されている。
【００４５】
図１１は、図１０のＤ−Ｄ矢視端面図である。図１０及び図１１において、各サイドスカート５１は、例えばゴム材料からなり、ダストカバー３０の幅方向両側において鉛直方向に延びて形成されている。各サイドスカート５１の上端部は、ダストカバー３０の補強体３１（横板部３４）の幅方向両端に固定されている。各サイドスカート５１の下端部は、図１０に示す状態において、下摺接面１１ｂ１の露出部分１１ｂ２の幅方向外側において、当該露出部分１１ｂ２よりも下方に延びて形成されている。
【００４６】
例えば、図１２に示すように、摺動子１３が下沓１１に対してＸ−Ｘ方向の一方側（図中の右側）に摺動すると、摺動子１３よりもＸ−Ｘ方向の他方側（図中の左側）に位置する下摺接面１１ｂ１の露出部分１１ｂ２とカバー本体３１との間には隙間Ｓが生じる。このため、サイドスカート５１の上下方向の長さは、当該サイドスカート５１が隙間Ｓを、その幅方向外側から覆うことができる長さに設定されているのが好ましい。
【００４７】
図１０において、エンドスカート５２は、例えばゴム材料からなり、ダストカバー３０の長手方向の外端部から斜め下方向に延びて形成されている。エンドスカート５２の上端部は、補強体３１の長手方向の外端部に固定されている。本実施形態のエンドスカート５２の下端部は、図１０に示す状態において、下摺接面１１ｂ１の露出部分１１ｂ２の長手方向外側において、当該露出部分１１ｂ２よりも下方に延びて形成されている。
【００４８】
エンドスカート５２の上下方向の長さは、図１２に示す状態において、Ｘ−Ｘ方向の前記他方側に位置するエンドスカート５２が前記隙間Ｓをその長手方向外側から覆うことができる長さに設定されているのが好ましい。なお、スカート部材５０は、サイドスカート５１のみで構成されていてもよいし、エンドスカート５２のみで構成されていてもよい。
本実施形態の他の構成は、第１実施形態と同様であるため、説明を省略する。
【００４９】
以上、第２実施形態の滑り支承１０によれば、第１実施形態と同様の作用効果を奏するとともに、以下の作用効果を奏する。すなわち、ダストカバー３０の余裕寸法Ｌ，Ｗ１，Ｗ２の部分から下摺接面１１ｂ１の露出部分１１ｂ２よりも下方に垂れるスカート部材５０により、ダストカバー３０と前記露出部分１１ｂ２との間の周りを覆うことができる。これにより、ダストカバー３０と下摺接面１１ｂ１の露出部分１１ｂ２との間に異物が浸入するのを抑制することができるので、前記露出部分１１ｂ２に異物が付着するのをさらに効果的に抑制することができる。
【００５０】
［第３実施形態］
図１３は、本発明の第３実施形態に係る滑り支承１０を示す側面図である。本実施形態の滑り支承１０におけるダストカバー３０は、Ｘ−Ｘ方向の一端部が摺動子１３に固定された固定部３０Ａと、固定部３０ＡのＸ−Ｘ方向の他端部に対して上下回動可能に連結された回動部３０Ｂとに分割して構成されている点で、第１実施形態と相違する。
図１３において、固定部３０Ａは、可撓性を有するカバー本体３１Ａと、当該カバー本体３１Ａを補強する補強体３２Ａとを備えている。同様に、回動部３０Ｂは、可撓性を有するカバー本体３１Ｂと、当該カバー本体３１Ｂを補強する補強体３２Ｂとを備えている。
【００５１】
補強体３２Ａ及び補強体３２Ｂは、第１実施形態の補強体３２（図７参照）を、その横板部３４の長手方向の途中部で２分割したものである。従って、補強体３２Ａは、縦板部３３と横板部３４Ａとを有し、補強体３２Ｂは、横板部３４Ｂのみからなる。なお、本実施形態では、補強体３２Ｂの横板部３４ＢのＸ−Ｘ方向の長さは、補強体３２Ａの横板部３４Ａの同方向の長さよりも短く形成されているが、これに限定されるものではない。
【００５２】
カバー本体３１Ａ及びカバー本体３１Ｂは、補強体３２Ａと補強体３２Ｂの分割に対応させて、第１実施形態のカバー本体３１（図７参照）を、その長手方向の途中部で２分割したものである。本実施形態では、カバー本体３１ＢのＸ−Ｘ方向の長さは、カバー本体３１Ａの同方向の長さよりも短く形成されているが、これに限定されるものではない。
【００５３】
回動部３０Ｂの補強体３２Ｂは、固定部３０Ａの補強体３２Ａに対して蝶番３６を介して上下回動可能に連結されている。蝶番３６には、補強体３２Ｂが図１３の二点鎖線で示す上回動位置まで上方回動したときに、補強体３２Ｂのそれ以上の上方回動を規制する規制部材３７が設けられている。本実施形態の規制部材３７は、例えば、蝶番３６の回動側の部材３６ａが当接することで、補強体３２Ｂの上方回動を規制している。
【００５４】
一方、補強体３２Ｂが、図１３の実線で示す下回動位置まで下方回動したときには、補強体３２Ｂの図中左側の端面が、補強体３２Ａの図中右側の端面に当接することで、補強体３２Ｂのそれ以上の下方回動が規制される。
以上により、回動部３０Ｂは、固定部３０Ａに対して下回動位置と上回動位置との間で回動可能とされている。
【００５５】
回動部３０Ｂの下回動位置と上回動位置との間の回動角度αは、回動部３０Ｂが上回動位置から自重により下方回動可能な角度に設定されている。例えば、本実施形態では、回動部３０Ｂが自重により下方回動することができる最大角度まで回動した位置（上回動位置）において、蝶番３６の回動側の部材３６ａが規制部材３７に当接するように、規制部材３７の形状や取り付け位置などが設定されている。
本実施形態の他の構成は、第１実施形態と同様であるため、説明を省略する。
【００５６】
なお、回動部３０Ｂは、固定部３０Ａに対して蝶番３６以外の機構により上下回動可能に連結されていてもよい。また、本実施形態のダストカバー３０は、長手方向に２分割しているが、３分割以上に分割し、各分割点において隣接する分割部同士を回動可能に連結してもよい。また、本実施形態では規制部材３７により回動部３０Ｂの上方回動を規制しているが、回動部３０Ｂの回動角度αが小さければ、規制部材３７を設ける必要はない。
【００５７】
以上、第３実施形態の滑り支承１０によれば、第１実施形態と同様の作用効果を奏するとともに、以下の作用効果を奏する。例えば、図１３に示すように、下部構造体１のＸ−Ｘ方向の一方側（図中の右側）に壁面１ａが存在する場合において、摺動子１３が前記一方側に摺動すると、当該一方側のダストカバー３０の回動部３０Ｂが壁面１ａに接触することがある。この場合、図１４に示すように、前記ダストカバー３０の回動部３０Ｂは、壁面１ａに接触することによって、固定部３０Ａに対して上方回動するため、回動部３０Ｂと壁面１ａとの接触による衝撃を緩和することができる。これにより、ダストカバー３０が壁面１ａの外部に接触して損傷するのを抑制することができる。
【００５８】
また、回動部３０Ｂの下回動位置と上回動位置との間の回動角度αは、回動部３０Ｂが上回動位置から自重により回動可能な角度に設定されているので、例えば、図１４に示す状態から、摺動子１３がＸ−Ｘ方向の他方側（図中の左側）へ摺動すると、上回動位置にある回動部３０Ｂは壁面１ａとの接触が解除されることで、自重により下回動位置まで下方回動する。従って、回動部３０Ｂが下回動位置から上方回動しても、摺動子１３の摺動により回動部３０Ｂを自動的に下方回動させて下回動位置に戻すことができる。
【００５９】
［その他］
上記実施形態では、ダストカバー３０は、摺動子１３に対して摺動方向（Ｘ−Ｘ方向）の両側に固定されているが、摺動方向の一方側のみ固定されていてもよい。また、ダストカバー３０は、下摺接面１１ｂ１の露出部分１１ｂ２の全部を覆っているが、当該露出部分１１ｂ２の一部を覆うものであってもよい。
【００６０】
ダストカバー３０は、カバー本体３１のみで構成されていてもよい。この場合、カバー本体３１は、はみ出し部分３１ｂが下方に垂れて地面に接触することの無い材質で構成されるのが好ましく、金属や硬質樹脂等の非可撓性材によって構成されるのがより好ましい。また、カバー本体３１は、下摺接面１１ｂ１の露出部分１１ｂ２に面接触しているが、当該露出部分１１ｂ２に対して隙間をあけて配置されていてもよい。また、本発明のダストカバー３０は、特許文献１に示す従来の滑り支承にも適用することができる。
【００６１】
今回開示された実施形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【００６２】
１  下部構造体
２  上部構造体
１０  滑り支承
１１  下沓
１１ｂ１  下摺接面
１１ｂ２  露出部分
１２  上沓
１２ｂ１  上摺接面
１３  摺動子
１４ａ  下摺動面
１５ａ  上摺動面
３０  ダストカバー
３０Ａ  固定部
３０Ｂ  回動部
３１  カバー本体
３１ａ  下面（接触面）
３２  補強体
３４ａ  下面
５０  スカート部材
Ｌ，Ｗ１，Ｗ２  余裕寸法
α  回動角度
【図１】
2020076441.tif 000003
【図２】
2020076441.tif 000004
【図３】
2020076441.tif 000005
【図４】
2020076441.tif 000006
【図５】
2020076441.tif 000007
【図６】
2020076441.tif 000008
【図７】
2020076441.tif 000009
【図８】
2020076441.tif 000010
【図９】
2020076441.tif 000011
【図１０】
2020076441.tif 000012
【図１１】
2020076441.tif 000013
【図１２】
2020076441.tif 000014
【図１３】
2020076441.tif 000015
【図１４】
2020076441.tif 000016